(57)【要約】【課題】建具を閉じた際のロック装置の係り具合の微調整を容易に行うことができる開閉端のロック装置を提供する。【解決手段】網戸等の開閉端に取り付けられるケース４内に収容されたガイド部材５と、ガイド部材５により前後方向に進退可能にガイドされ、建物の開口部の縦枠に取り付けられた受け具に対し係合及びその解除が可能な係合片６Ａを有する係合部材６と、ガイド部材５に形成された螺孔５ａに螺合し前後方向に延びる六角穴付き止めねじ７とを備えた。六角レンチにより六角穴付き止めねじ７を回転させることにより係合部材６を操作して前後方向に移動させ、係合片６Ａの位置を受け具に対して調整する。【選択図】図３
2008190237.tif 000002
【特許請求の範囲】
【請求項１】
建物の開口部を開閉する引戸若しくは折戸等のスライド式若しくは折り畳み式の建具、又は、該建具に付設されるロール網戸、ロールスクリーン若しくはロールカーテン等の巻き取り式の室内側建具若しくはインテリアの開閉端に設けられるロック装置であって、
前記開閉端に取り付けられるケース内に収容されたガイド部材と、
該ガイド部材により開閉方向に進退可能にガイドされ、前記開口部の縦枠に取り付けられた受け具に対し係合及びその解除が可能な係合片を有する係合部材と、
前記ガイド部材に形成された螺孔に螺合し開閉方向に延びるねじ部材とを備え、
該ねじ部材を回転させることにより前記係合部材を操作して開閉方向に移動させ、該係合部材の係合片の位置を前記受け具に対して調整することを特徴とする開閉端のロック装置。
【請求項２】
前記係合部材を、室内外方向に延びる係合片、該係合片の端部から折り曲げられて開方向に延びる連結片、該連結片の端部から折り曲げられて室内外方向に延びる操作片により構成し、前記ねじ部材の開側端部を前記操作片の閉側面に当接させるとともに、前記操作片の開側面を閉方向に付勢する弾性体を設けてなる請求項１記載の開閉端のロック装置。
【請求項３】
前記係合片、連結片及び操作片からなる係合部材を平面視又は側面視略コ字状とし、該コ字状の開口内に前記ねじ部材を収容するとともに、該ねじ部材を回転させる工具を挿通可能な工具挿通孔を前記係合片に形成してなる請求項２記載の開閉端のロック装置。
【発明の詳細な説明】
【技術分野】
【０００１】
本発明は、建物の開口部を開閉する引戸若しくは折戸等のスライド式若しくは折り畳み式の建具又は該建具に付設されるロール網戸、ロールスクリーン若しくはロールカーテン等の巻き取り式の室内側建具若しくはインテリアの開閉端に設けられるロック装置に関するものである。
【背景技術】
【０００２】
引戸における開閉端のロック装置として、網戸の開閉端に先端付近周囲に溝を切欠したネジ釘状の嵌挿部材を取着し、網戸を閉塞したとき嵌挿部材と対応する位置にロック本体を取着し、ロック本体の嵌挿孔に嵌挿した嵌挿部材の先端周囲に切欠した溝にバネの両脚がはさまってこれを挟持すると網戸がロックされ、ロック本体に組み込んだレバー部材の回動によりバネの両脚を左右に広く開脚して嵌挿部材の挟持を開放するとロックが解錠されるもの（例えば、特許文献１参照。）、鎌部材が水平回転軸にて上下回動自在に支持されたケースを引戸に装着し、枠体の縦枠に板状で中央部分に挿入用角孔を有し、その上下内面を係合面とした受けを装着してなり、引戸を閉じた際には鎌部材が回動して受けに係合し、引戸を開ける方向へのハンドル操作により鎌部材が回動して解錠されるもの（例えば、特許文献２参照。）等がある。
また、折戸における開閉端のロック装置として、引掛爪を有するロック杆が水平回転軸にて上下回動自在に支持されたロック取付具を折戸の端部パネルに装着し、ロック杆挿通孔が穿孔された受け具を側枠に装着してなり、折戸を閉じた際には操作つまみによりロック杆を回動させて引掛爪を受け具に係合させて施錠し、折戸を開ける際には操作つまみによりロック杆を回動させて解錠するもの（例えば、特許文献３参照。）等がある。
【０００３】
【特許文献１】特開２０００−９６９０１号公報（図１−３、図５−６、図９）
【特許文献２】特開２００４−３０８２５８号公報（図１−２）
【特許文献３】実開昭５５−１４０６４７号公報（第１図、第４図）
【発明の開示】
【発明が解決しようとする課題】
【０００４】
以上のような従来の開閉端のロック装置は、強風時等において引戸又は折戸が不意に開いてしまうことを防止することができるが、引戸又は折戸を閉じた際のロック装置の係り具合、すなわち特許文献１の構成では嵌挿部材とロック本体との位置関係、特許文献２及び３の構成では鎌部材（ロック杆）と受け（受け具）との位置関係を微調整することが困難である。特に、網戸等の形状精度が高くない建具においては、現物合わせで調整する作業に時間がかかるし、調整後の経時変化等により再調整が必要となった際にも容易に調整することができない。したがって、従来の開閉端のロック装置では、強風時等に引戸又は折戸がガタつく場合があっても、ロック装置を調整してガタつきを無くすことが困難であるという問題がある。
【０００５】
そこで本発明が前述の状況に鑑み、解決しようとするところは、建具等を閉じた際のロック装置の係り具合の微調整を容易に行うことができる開閉端のロック装置を提供する点にある。
【課題を解決するための手段】
【０００６】
本発明に係る開閉端のロック装置は、建物の開口部を開閉する引戸若しくは折戸等のスライド式若しくは折り畳み式の建具、又は、該建具に付設されるロール網戸、ロールスクリーン若しくはロールカーテン等の巻き取り式の室内側建具若しくはインテリアの開閉端に設けられるロック装置であって、前記開閉端に取り付けられるケース内に収容されたガイド部材と、該ガイド部材により開閉方向に進退可能にガイドされ、前記開口部の縦枠に取り付けられた受け具に対し係合及びその解除が可能な係合片を有する係合部材と、前記ガイド部材に形成された螺孔に螺合し開閉方向に延びるねじ部材とを備え、該ねじ部材を回転させることにより前記係合部材を操作して開閉方向に移動させ、該係合部材の係合片の位置を前記受け具に対して調整するものである。
【０００７】
ここで、前記係合部材を、室内外方向に延びる係合片、該係合片の端部から折り曲げられて開方向に延びる連結片、該連結片の端部から折り曲げられて室内外方向に延びる操作片により構成し、前記ねじ部材の開側端部を前記操作片の閉側面に当接させるとともに、前記操作片の開側面を閉方向に付勢する弾性体を設けてなると好ましい。
【０００８】
また、前記係合片、連結片及び操作片からなる係合部材を平面視又は側面視略コ字状とし、該コ字状の開口内に前記ねじ部材を収容するとともに、該ねじ部材を回転させる工具を挿通可能な工具挿通孔を前記係合片に形成してなると好ましい。
【発明の効果】
【０００９】
本発明に係る開閉端のロック装置によれば、建物の開口部を開閉する引戸若しくは折戸等のスライド式若しくは折り畳み式の建具、又は、該建具に付設されるロール網戸、ロールスクリーン若しくはロールカーテン等の巻き取り式の室内側建具若しくはインテリアの開閉端に設けられるロック装置であって、前記開閉端に取り付けられるケース内に収容されたガイド部材と、該ガイド部材により開閉方向に進退可能にガイドされ、前記開口部の縦枠に取り付けられた受け具に対し係合及びその解除が可能な係合片を有する係合部材と、前記ガイド部材に形成された螺孔に螺合し開閉方向に延びるねじ部材とを備え、該ねじ部材を回転させることにより前記係合部材を操作して開閉方向に移動させ、該係合部材の係合片の位置を前記受け具に対して調整するので、ねじ部材を工具により回転させることにより係合片を容易に進退させてその位置を微調整することができる。したがって、建具等の取付時における建具等を閉じた際のロック装置の係り具合の微調整及び経時変化等による再調整を容易に行うことができる。その上、現物合わせにより取付時の調整及び経時変化等による再調整を容易に行うことができるため、特に、網戸等の形状精度が高くない建具等に用いれば、そのロック装置の係り具合の調整作業の作業性を大幅に向上することができる。
【００１０】
また、前記係合部材を、室内外方向に延びる係合片、該係合片の端部から折り曲げられて開方向に延びる連結片、該連結片の端部から折り曲げられて室内外方向に延びる操作片により構成し、前記ねじ部材の開側端部を前記操作片の閉側面に当接させるとともに、前記操作片の開側面を閉方向に付勢する弾性体を設けてなると、前記効果に加え、建具等を開けた状態で誤操作により係合片を受け具に係合する施錠位置として、該状態のまま建具等を閉じてしまった際に、係合片と受け具との衝突時の衝撃を弾性体が緩和するため、係合片及び受け具の損傷及び該衝撃による騒音を防止することができる。
【００１１】
さらに、前記係合片、連結片及び操作片からなる係合部材を平面視又は側面視略コ字状とし、該コ字状の開口内に前記ねじ部材を収容するとともに、該ねじ部材を回転させる工具を挿通可能な工具挿通孔を前記係合片に形成してなると、前記効果に加え、コ字状の開口内にねじ部材が収容されたコンパクトかつ簡素な構成になるとともに、工具挿通孔から工具を挿入してねじ部材を容易に回転させることができるため、ロック装置の係り具合の微調整をさらに容易に行うことができる。
【発明を実施するための最良の形態】
【００１２】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、建具の例として示す網戸Ｓを閉じる方向（閉方向、閉側）を前、網戸Ｓを開ける方向（開方向、開側）を後とし、前方に向かって左右を左右とする。
【００１３】
図１〜図３は、本発明の実施の形態に係る開閉端のロック装置の構成を示す説明図であり、図１はロック装置１の本体２を網戸Ｓに取り付けた状態を示す部分拡大斜視図、図２はロック装置１の斜視図、図３（ａ）はロック装置１の本体２を網戸Ｓに取り付けた状態の部分縦断側面図、図３（ｂ）はロック装置１の本体２の横断平面図である。
【００１４】
図１に示すように、ロック装置１は、建物の開口部を開閉する引戸の例として示す網戸Ｓの開閉端（戸先）Ｅに取り付けられた本体２、及び、図示しない前記開口部の縦枠に通孔３ａ，３ａを利用して取付部３Ｂが図示しない取付ねじにより取り付けられた受け具３からなり、網戸Ｓを閉じた際に、凹部２５，２５に指を掛けて操作つまみ２４を操作し、操作つまみ２４を下側にスライドさせると、該操作つまみ２４に連動して係合部材６の係合片６Ａが下側に移動して受け具３の係合部３Ａに係合するため、施錠状態となる。該施錠状態で凹部２５，２５に指を掛けて操作つまみ２４を操作し、操作つまみ２４を上側にスライドさせると、該操作つまみ２４に連動して係合部材６の係合片６Ａが上側に移動して受け具３の係合部３Ａとの係合が解除されるため、解錠状態となる。
【００１５】
図２及び図３に示すように、ロック装置１の本体２は、ケース４、ケース４内に収容されるガイド部材であるスライダー５、スライダー５により前後方向に進退可能にガイドされる係合部材６、係合部材６の前後方向の位置を調整するねじ部材である六角穴付き止めねじ７、係合部材６を前方に付勢する弾性体である圧縮コイルばね８等により構成され、ケース４の基部１０を網戸Ｓの縦框２１（図１参照。）に形成した孔内に挿入した状態で、上下の取付部１１，１１を縦框２１上下の取付部２２，２２の前面にあてがい、取付ねじ２３，２３を通孔１１ａ，１１ａを通して螺孔２２ａ，２２ａに螺合することにより、網戸Ｓの開閉端Ｅ（図１参照。）に固定される。
【００１６】
ケース４は、前面に開口４ａが、左右側面に開口４ｂ，４ｂが、後面に開口４ｃが、右側面の開口４ｂの後側には上下方向に延びる長孔１２が形成されている。スライダー５がケース４内に開口４ｃから挿入されると、スライダー５の係止凸部５Ｃの後面がケース４の左側面の開口４ｂの後壁面の前側に位置し、スライダー５の背板５Ｂの前面がケース４の後端縁１０Ａの後側に位置するため、ケース４に対してスライダー５の前後方向への移動が規制される。また、スライダー５の左右側面がケース４の左右の内面に当接するため、ケース４に対してスライダー５の左右方向への移動が規制される。
【００１７】
したがって、スライダー５はケース４に対して上下方向のみにスライド可能となる。ここで、スライダー５に取り付けられてスライダー５とともに移動する係合部材１３は、例えば合成樹脂製であり比較的弾性変形しやすく、その凸部１３ａがケース４の長孔１２の上下に形成された係合凹部１２ａ，１２ａに係合するため、スライダー５はケース４に対して上下方向の２位置に位置決めされる。
【００１８】
スライダー５の基部５Ａの上部左右方向の中央には前後方向の螺孔５ａが形成され、螺孔５ａにはねじ部材である六角穴付き止めねじ７が螺合し、その前端部に形成された六角穴７ａに六角レンチＴ（図２参照。）の先端を係合させることにより、該六角レンチＴにより容易に六角穴付き止めねじ７を回転させることができる。なお、ねじ部材は、六角穴付き止めねじ７に限定されるものではなく、すりわり付き止めねじ等、その前端部に工具が係合して、該工具により回転することができるものであればよい。
【００１９】
スライダー５の基部５Ａの上部左側面にはガイド溝５ｃが形成されており、ガイド溝５ｃに係合部材６の連結片６Ｃが係合するため、スライダー５に対して係合部材６の上下方向の移動が規制され、係合部材６はスライダー５に対して前後方向にスライド可能となる。また、係合部材６は、左右に延びる係合片６Ａ、係合片６Ａの左端部から折り曲げられて後方に延びる連結片６Ｃ、連結片６Ｃの後端部から右方に延びる操作片６Ｂからなる平面視略コ字状であり、該コ字状の開口内に前記六角穴付き止めねじ７が収容される。
【００２０】
そして、六角穴付き止めねじ７の後端が操作片６Ｂの前面に当接するとともに、操作片６Ｂの後面には、ばね収容部である左右の通孔５ｂ内に収容され、背板５Ｂの前面から前方に突出する凸部８ａがコイル内に挿入されることにより位置決めされた、弾性体である圧縮コイルばね８が当接し、該圧縮コイルばね８により操作片６Ｂが前方に付勢される。なお、上記弾性体は圧縮コイルばね８に限定されるものではなく、ベローズ、ゴム片又は皿ばねを直列に組み合わせたもの等であってもよい。
【００２１】
このように、操作片６Ｂが六角穴付き止めねじ７及び圧縮コイルばね８により挟持されて係合部材６が前後方向に位置決めされる。また、圧縮コイルばね８が係合部材６を前方に付勢していることから、網戸Ｓ（図１参照。）を開けた状態で誤操作により係合片６Ａを受け具３の係合部３Ａに係合する施錠位置とし、該状態のまま網戸Ｓを閉じてしまったとしても、係合片６Ａと受け具３との衝突時の衝撃が圧縮コイルばね８により緩和されるため、係合片６Ａ及び受け具３の損傷及び該衝撃による騒音を防止することができる。
【００２２】
なお、圧縮コイルばね８は上記作用効果を奏するものであるが、本願発明において圧縮コイルばね８等の弾性体は必須の構成ではない。例えば、六角穴付き止めねじ７等のねじ部材の後端部に対し操作片６Ｂをピン等により支持し、ねじ部材の回転が操作片６Ｂに伝わらないようにし、かつ、ねじ部材とともに操作片６Ｂが前後方向に移動可能とする構成としてもよい。このような構成としては、例えば図４に示すように、六角穴付き止めねじ７の後端部にピン１４を突設するとともに、該ピン１４の後端にピン１４の径よりも大径の頭部１５を設け、操作片６Ｂに形成した切欠溝６ａに前記ピン１４を挿入し、六角穴付き止めねじ７の後端部と頭部１５とにより操作片６Ｂを挟持すればよい。
【００２３】
また、係合部材６の形状は、平面視略コ字状に限定されるものではなく、受け具３の係合部３Ａと係合片６Ａとの係合のさせ方によっては側面視略コ字状であってもよいし、コ字状でなくてもよい。すなわち、受け具３の係合部３Ａに係合する係合片と、ねじ部材により操作される部分が設けられていればよい。ただし、係合部材６の形状をコ字状として該コ字状の開口内にねじ部材を収容すれば、よりコンパクトかつ簡素な構成となる。また、係合片６Ａには、前記コ字状の開口内に収容された六角穴付き止めねじ７の前端の六角穴７ａに向かって開口した工具挿通孔９が形成されているため、該工具挿通孔９から六角レンチＴ（図２参照。）を挿入して圧縮コイルばね８を容易に回転させることができる。
【００２４】
スライダー５の左右に貫通する通孔５ｄには、網戸Ｓの左右（室内側及び室外側）に取り付けられた操作つまみ２４，２４の図示しない連結部分が挿入されるため、スライダー５及び係合部材６は、前記のとおり操作つまみ２４の上下方向のスライド動作に連動して上下方向に移動する。そして、前記のとおりケース４に対して上下方向の２位置に位置決めされる。
【００２５】
したがって、前記のとおり、図１に示す網戸Ｓを閉じた状態で、操作つまみ２４を下側にスライドさせて凸部１３ａ（図３（ａ）参照。）を下側の係合凹部１２ａに係合させると、係合部材６の係合片６Ａが受け具３の係合部３Ａに係合して施錠状態となり該状態が保持され、該施錠状態で操作つまみ２４を上側にスライドさせて凸部１３ａを上側の係合凹部１２ａに係合させると、係合部材６の係合片６Ａが受け具３の係合部３Ａから外れて解錠状態となり該状態が保持される。
【００２６】
次に、ロック装置１の係り具合の調整方法について説明する。図１に示す網戸Ｓを開いた状態で、図２に示すように六角レンチＴを係合部材６の係合片６Ａに形成した工具挿通孔９から挿入し、六角レンチＴの先端を図３（ｂ）に示す六角穴付き止めねじ７前端の六角穴７ａに係合させて回転すると（図３（ｂ）中矢印Ａ参照。）、六角穴付き止めねじ７が前後方向に移動するので、該六角穴付き止めねじ７及び圧縮コイルばね８により操作片６Ｂが挟持された係合部材６が前後方向に移動する（図３（ｂ）中矢印Ｂ参照。）。
【００２７】
したがって、六角レンチＴにより六角穴付き止めねじ７を締める方向に回転させることにより、係合部材６の係合片６Ａが網戸Ｓに対して後方に移動し、六角レンチＴにより六角穴付き止めねじ７を緩める方向に回転させることにより、前記係合片６Ａが網戸Ｓに対して前方に移動する。そして、該係合片６Ａの前後方向への移動量（ｍｍ）は、（六角穴付き止めねじ７のピッチ（ｍｍ））×（六角穴付き止めねじ７の回転角度（ｄｅｇ））／３６０（ｄｅｇ）により決定されるため、網戸Ｓに対する係合片６Ａの位置の微調整を極めて容易に行うことができる。
【００２８】
よって、このような調整後に網戸Ｓを閉じ、ロック装置１の係合部材６の係合片６Ａと受け具３の係合部３Ａとの係り具合、すなわち網戸Ｓのガタつき等を観察して、さらに網戸Ｓを開けて前記調整を行えば、現物合わせにより、網戸Ｓの取付時におけるロック装置１の係り具合の微調整を容易に行うことができる。同様にして、経時変化等による再調整も容易に行うことができる。このように現物合わせにより取付時の調整及び経時変化等による再調整を容易に行うことができるため、特に、網戸Ｓ等の形状精度が高くない建具に用いれば、そのロック装置１の係り具合の調整作業の作業性を大幅に向上することができる。
【００２９】
以上の説明においては、ケース４内に収容されるガイド部材が、ケース４に対して上下方向にスライドするスライダー５であり、該スライダー５に支持された係合部材６が上下方向にスライドして受け具３と係合又は該係合が解除される構成について説明したが、ガイド部材がケース４内において左右方向軸まわりに上下方向に揺動可能に支持され、該ガイド部材に支持された係合部材が前記左右方向軸まわりに上下方向に揺動することにより受け具と係合又は該係合が解除される構成であってもよい。
【００３０】
このような構成としては、例えば図５に示すように、ガイド部材である揺動体１６が、左右方向の揺動支軸１９まわりに上下方向に揺動するものであり、揺動部材１６の前後に延びる上ガイド片１７と下ガイド片１８との間に係合部材６の前後に延びる被ガイド片６Ｄを挿入することにより係合部材６を揺動体１６に対して前後方向に相対移動可能に支持し、六角穴付き止めねじ７の後端部から後方に延びるピン１４を揺動部材１６の下ガイド片１８の後部の垂下片の通孔１８ａに挿入した状態で該垂下片を六角穴付き止めねじ７の後端部と頭部１５とにより挟持するとともに、操作片６Ｂの螺孔６ｂに六角穴付き止めねじ７を螺合すればよい。図５の構成において、操作つまみ２０を上下させることにより（図中矢印Ｃ参照。）、係合片６Ａが上下方向に揺動するため（図中矢印Ｄ参照。）、係合片６Ａと図示しない受け具との係合又は該係合の解除操作を行うことができる。また、六角レンチの先端を六角穴付き止めねじ７前端の六角穴７ａに係合させて回転すると（図中矢印Ａ参照。）、六角穴付き止めねじ７に対して係合部材６が前後方向に移動するため（図中矢印Ｂ参照。）、ロック装置１の係り具合の調整作業を容易に行うことができる。
【００３１】
また、本発明に係るロック装置１を開閉端に取り付けて使用するのは、網戸Ｓ（引戸）のようなスライド式の建具に限定されるものではなく、アコーディオンカーテン（折戸）等の折り畳み式の建具であってもよい。さらに、本発明に係るロック装置１は、このような建具に付設されるロール網戸、ロールスクリーン若しくはロールカーテン等の巻き取り式の室内側建具若しくはインテリアの開閉端に取り付けてもよい。
【図面の簡単な説明】
【００３２】
【図１】本発明の実施の形態に係る開閉端のロック装置の本体を網戸に取り付けた状態を示す部分拡大斜視図である。
【図２】ロック装置の斜視図である。
【図３】ロック装置本体の構成説明図であり、（ａ）は網戸に取り付けた状態の部分縦断側面図、（ｂ）は横断平面図である。
【図４】圧縮コイルばねを使用しないロック装置の構成例を示す横断平面図である。
【図５】ガイド部材が上下方向に揺動する構成例を示す縦断側面図である。
【符号の説明】
【００３３】
１  ロック装置
２  本体
３  受け具
３Ａ  係合部
４  ケース
５  スライダー（ガイド部材）
５Ａ  基部
５ａ  螺孔
６  係合部材
６Ａ  係合片
６Ｂ  操作片
６Ｃ  連結片
６Ｄ  被ガイド片
６ａ  切欠溝
６ｂ  螺孔
７  六角穴付き止めねじ（ねじ部材）
７ａ  六角穴
８  圧縮コイルばね（弾性体）
９  工具挿通孔
１６  揺動体（ガイド部材）
１７  上ガイド部材
１８  下ガイド部材
１８ａ  通孔
１９  揺動支軸
Ｅ  開閉端
Ｓ  網戸（引戸）
Ｔ  六角レンチ（工具）
【図１】
2008190237.tif 000003
【図２】
2008190237.tif 000004
【図３】
2008190237.tif 000005
【図４】
2008190237.tif 000006
【図５】
2008190237.tif 000007